(57)【要約】【課題】電波方式の通信手段を介して接続されるリモートコントローラと電子機器とを確実にペアリング設定することが可能なリモートコントローラ等を提供する。【解決手段】リモートコントローラは電子機器にペアリング設定要求コードを赤外線方式で発光する（ステップＳ３０）。電子機器はペアリング設定要求コードに基づいて電子機器ＩＤコードをリモートコントローラに送信する（ステップＳ４０）。リモートコントローラは電子機器ＩＤコードに基づいてリモートコントローラＩＤコードを電子機器に送信する（ステップＳ６０）。電子機器はリモートコントローラＩＤコードをペアリング相手として登録する（ステップＳ９５）と共に、ＡＣＫコードをリモートコントローラに送信する（ステップＳ９０）。リモートコントローラはＡＣＫコードに基づいて電子機器ＩＤコードをペアリング相手として登録する（ステップＳ１２０）。【選択図】図４
2008263308.tif 000002
【特許請求の範囲】
【請求項１】
電波方式で遠隔操作する電子機器との間で双方向通信によりペアリング設定を行うリモートコントローラであって、
前記電子機器にペアリング設定の開始を要求するペアリング設定要求コードを赤外線方式で発光する発光部と、
前記発光部により発光された前記ペアリング設定要求コードに対して前記電子機器から電波方式で送信された前記電子機器の固有情報を受信すると共に、自身の固有情報を電波方式で前記電子機器に送信する通信部と、
前記通信部により受信された前記電子機器の固有情報を登録して、前記電子機器をペアリングの対象機器として制御する制御部と
を備えることを特徴とするリモートコントローラ。
【請求項２】
前記通信部は、
前記電子機器の固有情報を受信したときに、前記自身の固有情報に前記電子機器の固有情報を付加した情報を含む確認コードを前記電子機器に電波方式で送信する
ことを特徴とする請求項１に記載のリモートコントローラ。
【請求項３】
ペアリング設定の処理状態を告知する告知部を有し、
前記告知部は、
前記発光部が前記ペアリング設定要求コードを発光してから一定時間内に前記電子機器から送信される前記電子機器の固有情報を受信しないときには、ペアリング設定が正常に行われていない旨を告知する
ことを特徴とする請求項１に記載のリモートコントローラ。
【請求項４】
ペアリング設定の処理状態を表示する告知部を有し、
前記告知部は、
前記通信部が前記電子機器から送信された前記リモートコントローラの固有情報を正常に受信した旨の応答コードを受信したとき、前記電子機器とペアリング設定が完了した旨を告知する
ことを特徴とする請求項１に記載のリモートコントローラ。
【請求項５】
電波方式で遠隔操作する電子機器との間で双方向通信によりペアリング設定を行うリモートコントローラであって、
前記電子機器にペアリング設定の開始を要求するペアリング設定要求コードおよび自身の固有情報を赤外線方式で発光する発光部と、
前記発光部により発光された前記ペアリング設定要求コードに対して前記電子機器から電波方式で送信された前記電子機器の固有情報を受信する通信部と、
前記通信部により受信された前記電子機器の固有情報を登録して、前記電子機器をペアリングの対象機器として制御する制御部と
を備えることを特徴とするリモートコントローラ。
【請求項６】
電波方式で遠隔操作を行うリモートコントローラとの間で双方向通信によりペアリング設定を行う電子機器であって、
前記リモートコントローラから赤外線方式で送信されるペアリング設定の開始を要求するペアリング設定要求コードを受信する受光部と、
前記受光部により受信されたペアリング設定要求コードに対して自身の固有情報を前記リモートコントローラに電波方式で送信すると共に、前記リモートコントローラから電波方式で送信される前記リモートコントローラの固有情報を受信する通信部と、
前記通信部により受信された前記リモートコントローラの固有情報を登録して、前記リモートコントローラをペアリングの対象機器として制御する制御部と
を有することを特徴とする電子機器。
【請求項７】
前記リモートコントローラの固有情報に前記電子機器の固有情報が付加された確認コードが前記リモートコントローラから送信され、
前記通信部は、
受信した前記確認コードに含まれる前記電子機器の固有情報が自身の固有情報と一致するときには、
前記確認コードを正常に受信した旨の応答コードを前記リモートコントローラに送信する
ことを特徴とする請求項６に記載の電子機器。
【請求項８】
電波方式で遠隔操作を行うリモートコントローラとの間で双方向通信によりペアリング設定を行う電子機器であって、
前記リモートコントローラから赤外線方式で送信されるペアリング設定の開始を要求するペアリング設定要求コードおよび前記リモートコントローラの固有情報を受信する受光部と、
前記受光部により受信されたペアリング設定要求コードに対して自身の固有情報を電波方式で前記リモートコントローラに送信する通信部と、
前記発光部により受信された前記リモートコントローラの固有情報を登録して、前記リモートコントローラをペアリングの対象機器として制御する制御部と
を有することを特徴とする電子機器。
【請求項９】
電波方式の通信手段を介して接続されたリモートコントローラと電子機器とをペアリング設定する遠隔操作システムであって、
前記リモートコントローラは、
前記電子機器にペアリング設定の開始を要求するペアリング設定要求コードを赤外線方式で発光する発光部と、
前記発光部により発光された前記ペアリング設定要求コードに対して前記電子機器から電波方式で送信された前記電子機器の固有情報を受信すると共に、自身の固有情報を電波方式で前記電子機器に送信する通信部と、
前記通信部により受信された前記電子機器の固有情報を登録して、前記電子機器をペアリングの対象機器として制御する制御部とを備え、
前記電子機器は、
前記リモートコントローラから赤外線方式で送信されるペアリング設定の開始を要求するペアリング設定要求コードを受信する受光部と、
前記受光部により受信されたペアリング設定要求コードに対して自身の固有情報を前記リモートコントローラに電波方式で送信すると共に、前記リモートコントローラから電波方式で送信される前記リモートコントローラの固有情報を受信する通信部と、
前記通信部により受信された前記リモートコントローラの固有情報を登録して、前記リモートコントローラをペアリングの対象機器として制御する制御部と
を備えることを特徴とする遠隔操作システム。
【請求項１０】
通信手段を介して接続されたリモートコントローラと電子機器とをペアリング設定する遠隔操作システムであって、
前記リモートコントローラは、
前記電子機器にペアリング設定の開始を要求するペアリング設定要求コードおよび自身の固有情報を赤外線方式で発光する発光部と、
前記発光部により発光された前記ペアリング設定要求コードに対して前記電子機器から電波方式で送信された前記電子機器の固有情報を受信する通信部と、
前記通信部により受信された前記電子機器の固有情報を登録して、前記電子機器をペアリングの対象機器として制御する制御部とを備え、
前記電子機器は、
前記リモートコントローラから赤外線方式で送信されるペアリング設定の開始を要求するペアリング設定要求コードおよび前記リモートコントローラの固有情報を受信する受光部と、
前記受光部により受信されたペアリング設定要求コードに対して自身の固有情報を電波方式で前記リモートコントローラに送信する通信部と、
前記発光部により受信された前記リモートコントローラの固有情報を登録して、前記リモートコントローラをペアリングの対象機器として制御する制御部と
を備えることを特徴とする遠隔操作システム。
【発明の詳細な説明】
【技術分野】
【０００１】
本発明は、リモートコントローラ、電子機器および遠隔操作システムに関する。詳細には、電波方式の通信手段を介して接続されるリモートコントローラと電子機器との間のペアリング設定において、ペアリング設定の開始を要求するペアリング設定要求コードを指向性のある赤外線方式で電子機器に送信することで、特定の電子機器と確実なペアリング設定を行うことが可能なリモートコントローラ、電子機器および遠隔操作システムに関する。
【背景技術】
【０００２】
近年、リモートコントローラでは、障害物の影響を受けにくい電波を利用したものが広く提案、利用されている。しかし、電波は赤外線よりも指向性が弱くて拡散性の強いという特性を有するため、遠隔操作の対象となる電子機器の周辺に複数台の電子機器が設置されているときには、意図しない電子機器を操作してしまうおそれがある。そこで、遠隔操作の対象となる特定の電子機器との間でのみ通信（接続）を限定して行うためにペアリング設定が一般的に行われている。
【０００３】
一般的なペアリング設定は、まず、リモートコントローラから電子機器に対してペアリング設定を実行するためのペアリング設定要求コードを送信する。電子機器は、受信したペアリング設定要求に基づいて自身のＩＤコードをリモートコントローラに送信する。リモートコントローラは、受信したＩＤコードに基づいて、自身のＩＤコードを電子機器に送信する。電子機器は、ＩＤコードを正常に受信した旨のＡＣＫコードをリモートコントローラに送信すると共に、このリモートコントローラをペアリング相手として登録する。最後に、リモートコントローラでは、受信したＡＣＫコードに基づいて電子機器をペアリング相手として登録する（例えば、特許文献１参照）。
【０００４】
【特許文献１】特開２００５−３２８２９５号公報
【発明の開示】
【発明が解決しようとする課題】
【０００５】
しかしながら、上述した特許文献１に開示されるペアリング設定方法では、ペアリング設定を電波方式により行う場合には、上述したように、周辺機器に対してもペアリング設定要求コードを送信してしまうおそれがある。この場合には、ペアリング設定要求コードを受信した複数の電子機器から応答信号が送信されることになり、１対１でのペアリング設定を確実に行うことが困難であるという問題がある。さらには、意図しない機器とペアリング設定が行われてしまうおそれもある。
【０００６】
そこで、本願発明は、上記課題に鑑みてなされたものであり、その目的は、通信手段を介して接続されるリモートコントローラと電子機器とを確実にペアリング設定することが可能なリモートコントローラ、電子機器および遠隔操作システムを提供することにある。
【課題を解決するための手段】
【０００７】
本願発明のリモートコントローラは、電波方式で遠隔操作する電子機器との間で双方向通信によりペアリング設定を行うリモートコントローラであって、前記電子機器にペアリング設定の開始を要求するペアリング設定要求コードを赤外線方式で発光する発光部と、前記発光部により発光された前記ペアリング設定要求コードに対して前記電子機器から電波方式で送信された前記電子機器の固有情報を受信すると共に、自身の固有情報を電波方式で前記電子機器に送信する通信部と、前記通信部により受信された前記電子機器の固有情報を登録して、前記電子機器をペアリングの対象機器として制御する制御部とを備えることを特徴とする。
【０００８】
また、リモートコントローラの固有情報は、ペアリング設定要求コードと共に赤外線方式で電子機器に送信しても良い。
【０００９】
また本願発明の電子機器は、電波方式で遠隔操作を行うリモートコントローラとの間で双方向通信によりペアリング設定を行う電子機器であって、前記リモートコントローラから赤外線方式で送信されるペアリング設定の開始を要求するペアリング設定要求コードを受信する受光部と、前記受光部により受信されたペアリング設定要求コードに対して自身の固有情報を前記リモートコントローラに電波方式で送信すると共に、前記リモートコントローラから電波方式で送信される前記リモートコントローラの固有情報を受信する通信部と、前記通信部により受信された前記リモートコントローラの固有情報を登録して、前記リモートコントローラをペアリングの対象機器として制御する制御部とを有することを特徴とする。
【００１０】
また、リモートコントローラの固有情報がペアリング設定要求コードと共に赤外線方式でリモートコントローラから送信される場合には、受光部によってペアリング設定要求コードと共にリモートコントローラの固有情報も受光する。
【００１１】
また本願発明の遠隔操作システムは、電波方式の通信手段を介して接続されたリモートコントローラと電子機器とをペアリング設定する遠隔操作システムであって、前記リモートコントローラは、前記電子機器にペアリング設定の開始を要求するペアリング設定要求コードを赤外線方式で発光する発光部と、前記発光部により発光された前記ペアリング設定要求コードに対して前記電子機器から電波方式で送信された前記電子機器の固有情報を受信すると共に、自身の固有情報を電波方式で前記電子機器に送信する通信部と、前記通信部により受信された前記電子機器の固有情報を登録して、前記電子機器をペアリングの対象機器として制御する制御部とを備え、前記電子機器は、前記リモートコントローラから赤外線方式で送信されるペアリング設定の開始を要求するペアリング設定要求コードを受信する受光部と、前記受光部により受信されたペアリング設定要求コードに対して自身の固有情報を前記リモートコントローラに電波方式で送信すると共に、前記リモートコントローラから電波方式で送信される前記リモートコントローラの固有情報を受信する通信部と、前記通信部により受信された前記リモートコントローラの固有情報を登録して、前記リモートコントローラをペアリングの対象機器として制御する制御部とを備えることを特徴とする。
【００１２】
また、リモートコントローラの固有情報は、ペアリング設定要求コードと共に赤外線方式で電子機器に送信しても良い。このとき、電子機器では受光部によってペアリング設定要求コードと共にリモートコントローラの固有情報も受光する。
【００１３】
本発明では、電波方式のリモートコントローラと電子機器との間でペアリング設定を行う場合、最初の通信段階で、リモートコントローラがペアリング設定を行う特定の電子機器に対して赤外線方式でペアリング設定要求コードを送信する。赤外線は電波とは異なり指向性が高いため、ペアリング設定を行う特定の電子機器方向に向かって赤外線が発光されることで、特定の電子機器に対してのみペアリング設定要求コードが送信される。例えば、ペアリング設定を行う電子機器の周辺に複数の電子機器が設置されていたとしても、ペアリング設定を行う特定の電子機器に対してのみペアリング設定要求コードを送信できる。
【００１４】
ここで、電波とは、超長波からミリ波までの電磁波、サブミリ波および遠赤外線の電磁波を含むものである。
【発明の効果】
【００１５】
本発明によれば、赤外線方式を用いることでペアリング設定要求コードを特定の電子機器にのみ送信できるため、リモートコントローラと特定の電子機器との間で確実にペアリング設定を行うことができる。
【発明を実施するための最良の形態】
【００１６】
［第１の実施の形態］
以下、本発明の実施の形態について図面を参照して説明する。  
【００１７】
（遠隔操作システムの構成）  
図１は、本発明の一実施形態に係る遠隔操作システム１００の構成を示す図である。
遠隔操作システム１００は、テレビジョン、ＤＶＤ(Digital Versatile Disc)／ビデオレコーダやオーディオなどの電子機器４０と、電子機器４０を遠隔操作するリモートコントローラ１０とで構成される。この遠隔操作システム１００は、ペアリング設定では赤外線および電波を使用してリモートコントローラ１０と電子機器４０との間で双方向通信を行い、ペアリング設定後の通常の遠隔操作では電波を使用してリモートコントローラ１０から電子機器４０への一方向の通信を行う。
【００１８】
例えば、図１に示すように、複数の電子機器４０Ａ，４０Ｂ，４０Ｃが設置されているうちの電子機器４０Ａとペアリング設定を行う場合には、指向性の高い赤外線も使用するため、ペアリング設定を行う電子機器４０Ａ方向にリモートコントローラ１０の先端部（発光部）を向けてペアリング設定を行う。また、ペアリング設定を行う電子機器４０がリモートコントローラ１０から送信される電波の通信範囲内となる位置でリモートコントローラ１０の操作を行う。
【００１９】
（リモートコントローラの構成）  
次に、リモートコントローラ１０の構成を説明する。図２は、リモートコントローラ１０のブロック構成を示す図である。
【００２０】
リモートコントローラ１０は、リモートコントローラ１０全体の制御を行うリモコンＣＰＵ（Central Processing Unit）１４を有する。リモコンＣＰＵ１４には、ＲＯＭ(Read Only Memory)１６、ＲＡＭ(Random Access Memory)１８、操作部２０、発光部２２、リモコン通信部２４および表示部３０がそれぞれ接続されている。ＲＯＭ１６は、リモートコントローラ１０を動作させるための各種のプログラムや処理に必要なデータなどが記憶されたものである。ＲＡＭ１８は、リモコンＣＰＵ１４で各種の処理を行うときに得られたデータを一時的に記憶保持するなど、主に各種の処理の作業領域として用いられるものである。リモコンＣＰＵ１４は、ＲＯＭ１６に記憶されているプログラムを実行して所定の処理を行う。リモコンＣＰＵ１４、ＲＯＭ１６およびＲＡＭ１８は制御部の一例である。
【００２１】
また、ＲＯＭ１６には、各メーカー毎に割り当てられたフォーマット情報と、各カテゴリー（電子機器４０）毎に割り当てられた機種情報と、各制御機能（操作内容）毎に割り当てられた機能情報（コード信号）とが記憶されている。さらに、ペアリング設定の際に用いられる、ペアリング設定の開始を要求するペアリング設定要求コードと、各リモートコントローラ１０に割り当てられた固有のリモコンＩＤコード（デバイスアドレス、固有情報）等が記憶されている。リモコンＩＤコードは、後述するように電子機器ＩＤコードを付加した確認コードとしても用いられる。
【００２２】
操作部２０は、リモコンＣＰＵ１４をペアリング設定の動作に移行させるためのペアリング設定キーと、通常の電子機器４０の遠隔操作を行うための複数の操作キーとで構成される。ペアリング設定キーがユーザによって押下されると、リモコンＣＰＵ１４は、ペアリング設定キーに応じた出力信号を検出してリモートコントローラ１０の動作をペアリング設定に移行させ、ペアリング設定要求コードをＲＯＭから読み出して発光部２２に供給する。
【００２３】
発光部２２は、赤外線領域で発光する発光素子、例えば赤外ＬＥＤ(Light Emitting Diode)で構成され、リモコンＣＰＵ１４から供給されたペアリング設定要求コードを赤外線の通信信号として電子機器４０に送信する。発光部２２によって発光される赤外線は指向性が高いため、ペアリング設定を行う特定の電子機器４０に対してのみペアリング設定要求コードが送信されるようになっている。
【００２４】
リモコン通信部２４は、ＲＦチップ２８とこのＲＦチップ２８に接続されたＲＦアンテナ２６とを有し、ペアリング設定を行う電子機器４０との間で電波方式により双方向通信を行う。ＲＦチップ２８はリモコンＣＰＵ１４から供給されたペアリング設定要求コードを増幅、変調処理してＲＦアンテナ２６に供給し、ＲＦアンテナ２６では供給されたペアリング要求設定コードに基づく通信信号を電波方式で電子機器４０に送信する。さらに、ＲＦアンテナ２６は電子機器４０から電波方式で送信された通信信号（例えば電子機器４０のＩＤコードやＡＣＫコード）を受信し、ＲＦチップ２８では受信した通信信号を増幅、復調処理してリモコンＣＰＵ１４に供給する。電波は、例えば９００ＭＨｚ帯、２．４ＧＨｚ帯などの周波数が用いられる。
【００２５】
表示部３０は、告知部の一例であり、例えばＬＣＤ（Liquid Crystal Display）等のディスプレイで構成される。表示部３０は、リモコンＣＰＵ１４から供給される制御信号に基づいて、ペアリング設定が正常に行われない場合にエラー表示したり、ペアリング設定が正常に行われた場合にペアリング完了表示をしたりする。また、通常の電子機器４０を遠隔操作する場合には、押下された操作キーに割り当てられた操作内容に応じた文字、数字、記号等を表示させる。
【００２６】
（電子機器の構成）  
次に、電子機器４０のブロック構成について説明する。図３は、電子機器４０の構成を示すブロック図である。
図３に示すように、電子機器４０は例えばテレビジョンなどの表示装置として機能する電子機器本体８２を有する。電子機器本体８２は、本体ＣＰＵ４２、ＲＯＭ４４、ＲＡＭ４６、ＥＥＰＲＯＭ(Electrically Erasable Programmable Read Only Memory)７６、放送信号受信アンテナ５６、チューナ５８、復調部６０、デコード部６２、映像信号処理部６４、表示部６６、音声信号処理部６８、およびスピーカ７０とで構成される。
【００２７】
電子機器本体８２は、本体ＣＰＵ４２によって全体を制御するようになされており、バス７４を介してＲＯＭ４４から基本プログラムや各種アプリケーションプログラムを読み出し、ＲＡＭ４６やＥＥＰＲＯＭ７６に展開して各種処理を実行するようになされている。本体ＣＰＵ４２、ＲＯＭ４４、ＲＡＭ４６およびＥＥＰＲＯＭ７６は制御部の一例である。
【００２８】
またＲＯＭ４４またはＥＥＰＲＯＭ７６には、ペアリング設定の際に用いる、各電子機器４０に割り当てられた固有の電子機器ＩＤコード（固有情報）と、リモートコントローラ１０の確認コードを正常に受信したときに応答信号として発行されるＡＣＫコードなどが記憶されている。
【００２９】
放送信号受信アンテナ５６では放送信号を受信し、受信した放送信号をチューナ５８に供給する。チューナ５８は本体ＣＰＵ４２からの指示に基づいて放送信号の選局を行い、選局した放送信号を復調部６０に供給する。
【００３０】
復調部６０は、選局した放送信号を復調してトランスポートストリームを得る。そして、トランスポートストリームに含まれる圧縮ビデオデータと圧縮オーディオデータを分離して、それぞれのデータをデコード部６２に供給する。デジタル放送によるトランスポートストリームは、例えばＭＰＥＧ２(Moving Picture Experts Group Layer2)方式によって、複数のプログラム（番組）のビデオ信号およびオーディオ信号を圧縮した圧縮データと、各種の付加情報が多重化されて構成される。
【００３１】
デコード部６２は、復調部６０から供給された圧縮ビデオデータと圧縮オーディオデータのそれぞれをデコードし、ビデオデータを映像信号処理部６４に供給すると共にオーディオデータを音声信号処理部６８に供給する。
【００３２】
映像信号処理部６４は、デコード部６２から供給されたビデオデータを垂直・水平同期信号検出や各種映像信号処理し、表示部６６に出力する。表示部６６は、例えばＣＲＴ（Cathode Ray Tube）やＬＣＤ（Liquid Crystal Display）、ＰＤＰ（Plasma Display Panel）等のディスプレイで構成され、映像信号処理部６４からの出力信号に基づく画像表示を行う。
【００３３】
音声信号処理部６８は、デコード部６２から供給されたデジタルオーディオデータに所望の音声信号処理を行い、アナログオーディオ信号に変換してスピーカ７０から音声出力する。
【００３４】
また電子機器４０は、図３に示すように、通信モジュールＣＰＵ８０、受光部４８および本体通信部５０を有しており、これらがバス７４に接続されている。
【００３５】
受光部４８は、受光素子、増幅器などで構成され、リモートコントローラ１０から送信される赤外線の通信信号を受光して増幅、キャリア成分を除去することでペアリング設定要求コードを取得し、これを本体ＣＰＵ４２に供給する。
【００３６】
本体通信部５０は、ＲＦチップ５４とこのＲＦチップ５４に接続されたＲＦアンテナ５２とを有し、ペアリング設定を行うリモートコントローラ１０との間で電波方式による双方向通信を行う。
【００３７】
本体通信部５０のＲＦチップ５４は、通信モジュールＣＰＵ８０に接続され、通信モジュールＣＰＵ８０から供給された電子機器ＩＤコードやＡＣＫコードを変調処理してＲＦアンテナ５２に供給し、ＲＦアンテナ５２では電子機器ＩＤコード等に基づく通信信号を電波方式でリモートコントローラ１０に送信する。また、ＲＦアンテナ５２はリモートコントローラ１０から電波方式で送信される確認コードを受信し、ＲＦチップ５４では受信した確認コードを増幅、変調処理する。
【００３８】
通信モジュールＣＰＵ８０は、電子機器本体８２の電源状態の監視やＲＦチップ５４の動作制御を行うものである。また、通信モジュールＣＰＵ８０は、ＲＦチップ５４で変調処理された確認コードを赤外線方式のリモコンコードのフォーマットに変換して本体ＣＰＵ４２に供給する。
【００３９】
電子機器本体８２の本体ＣＰＵ４２は、発光部４８および通信モジュールＣＰＵ８０のそれぞれから同一のフォーマットで供給されるペアリング設定要求コードや確認コードに基づいてペアリング設定を行う。そして、確認コードに含まれるリモートコントローラＩＤコードをＲＯＭなどのメモリに記憶し、このリモートコントローラ１０をペアリングの相手として登録、制御する。
【００４０】
（ペアリング設定の動作）
次に、リモートコントローラ１０と特定の電子機器４０との間でペアリング設定を行う際のリモートコントローラ１０および電子機器４０の動作について説明する。図４は、ペアリング設定を行う際の遠隔操作システム１００の動作を示すフローチャートである。
【００４１】
まず、図４に示すように、ステップＳ１０ではペアリング設定を行う電子機器４０の電源がオンされたか否かを判断する。電子機器４０の電源がオフの状態ではリモートコントローラ１０からの通信信号を受信できないため、この状態ではペアリング設定が行われない。
【００４２】
ステップＳ２０でリモートコントローラ１０は、ペアリング設定動作に移行したか否かを判断する。これは、例えば、リモートコントローラ１０に設けられたペアリング設定キーの押下により、リモコンＣＰＵ１４が出力信号を検出したか否かに基づいて判断できる。ペアリング設定に移行したときにはステップＳ３０に進む。
【００４３】
ステップＳ３０でリモートコントローラ１０は、ペアリング設定に移行すると、ＲＯＭ１６からペアリング設定要求コードを読み出して赤外線で電子機器４０に送信する。このとき、リモートコントローラ１０のペアリング設定要求コードをペアリング設定する電子機器４０Ａ方向に向けて発光させることで、複数台の電子機器４０Ａ，４０Ｂ，４０Ｃが周辺に設置されていたとしても、ペアリング設定したい特定の電子機器４０Ａに対してのみペアリング設定要求コードを送信できる（図１参照）。
【００４４】
ステップＳ４０で電子機器４０は、赤外線のペアリング設定要求コードを受信すると、電子機器４０に割り当てられた固有の電子機器ＩＤコードをＲＯＭ４４から読み出して電波方式でリモートコントローラ１０に送信する。
【００４５】
ステップＳ５０でリモートコントローラ１０は、一定時間内に電子機器ＩＤコードを受信したか否かを判断する。一定期間内に電子機器ＩＤコードを受信したときにはステップＳ６０に進み、一定期間内に電子機器ＩＤコードを受信しないときにはステップＳ７０に進む。
【００４６】
ステップＳ７０では、リモートコントローラ１０は、表示部３０の画面に例えば「エラー」の文字を表示し、ペアリング設定が正常に行われてない旨をユーザに告知する。
【００４７】
一方、ステップＳ６０でリモートコントローラ１０は、自身のリモコンＩＤコードと受信した電子機器ＩＤコードで構成される確認コードをＲＯＭ１６から読み出して電波方式で電子機器４０に送信する。
【００４８】
ステップＳ８０で電子機器４０は、確認コードに含まれる電子機器ＩＤコードが自身の電子機器ＩＤコードと一致するか否かを判断する。電子機器ＩＤコードが一致すると判断したときにはステップＳ９０に進む。一方、電子機器ＩＤコードが一致しないと判断したときには、受信した電子機器ＩＤコードを無効として破棄しステップＳ１００に進む。
【００４９】
ステップＳ９０で電子機器４０は、リモートコントローラ１０から送信された確認コードを正常に受信したことを告知するＡＣＫコードをリモートコントローラ１０に送信する。また、電子機器ＩＤコードが一致したときにはステップＳ９５で、リモートコントローラ１０から送信されたリモートコントローラＩＤコードをＲＯＭ４４に記憶して、このリモートコントローラＩＤコードを有するリモートコントローラ１０をペアリング相手として登録、制御する。
【００５０】
ステップＳ１００で電子機器４０は、リモートコントローラ１０から送信された確認コードを正常に受信していないためＡＣＫコードをリモートコントローラ１０に送信せず、再度リモートコントローラ１０側でペアリング設定が開始されるまで待機状態となる。
【００５１】
ステップＳ１１０でリモートコントローラ１０は、一定時間内にＡＣＫコードを受信したか否かを判断する。一定期間内にＡＣＫコードを受信したときにはステップＳ１２０に進み、一定期間内に電子機器ＩＤコードを受信しないときにはステップＳ７０に進む。
【００５２】
ステップＳ７０では、リモートコントローラ１０は、表示部３０の画面に例えば「エラー」の文字を表示し、ペアリング設定が正常に行われてない旨をユーザに告知する。
【００５３】
一方、ＡＣＫコードを受信したときには、ステップＳ１２０でリモートコントローラ１０は、表示部３０の画面に例えば「ペアリング完了」の文字を表示し、ペアリング設定が正常に行われた旨をユーザに告知する。また、リモートコントローラ１０は、ステップＳ５０で受信した電子機器ＩＤコードをＲＯＭ１６に記憶して、この電子機器ＩＤコードを有する電子機器４０をペアリング設定として登録、制御する。
【００５４】
以上説明したように、本実施の形態では、リモートコントローラ１０と電子機器４０との間でペアリング設定を行う場合、最初の通信段階で、リモートコントローラ１０が赤外線方式によりペアリング設定要求コードを送信する。赤外線は電波とは異なり指向性が高いため、ペアリング設定を行う特定の電子機器４０方向に向かって赤外線を発光することで、特定の電子機器４０以外の電子機器からは応答信号（電子機器ＩＤコード等）が返信されることはない。その結果、リモートコントローラ１０は特定の電子機器４０との間で限定した通信を行うことができ、複数の電子機器４０が設置されている場合でも意図しない電子機器４０とのペアリング設定を防止できる。
【００５５】
また、ペアリング設定要求コードを受信した電子機器４０は、ペアリング設定に移行しているリモートコントローラ１０とのみ通信を行うため、リモートコントローラ１０に電子機器ＩＤコードやＡＣＫコードを電波方式で送信することができる。
【００５６】
［第２の実施の形態］
以下、本発明の実施形態につき、図面を参照して説明する。上述した実施の形態ではリモートコントローラ１０のＩＤコードを電波で電子機器４０に送信しているのに対し、本実施の形態ではリモートコントローラ１０のＩＤコードを赤外線で電子機器４０に送信している点において異なる。なお、その他のリモートコントローラ１０および電子機器４０の構成および動作は、上述した第１の実施の形態と同一であるため、共通の構成要素には同一の符号を付し、詳細な説明は省略する。
【００５７】
図５は、ペアリング設定を行う際の遠隔操作システム１００の動作を示すフローチャートである。
まず、図５に示すように、ステップＳ１０ではペアリング設定を行う電子機器４０の電源がオンされたか否かを判断する。また、ステップＳ２０ではリモートコントローラ１０は、ペアリング設定動作に移行したか否かを判断する。ペアリング設定に移行したときにはステップＳ３０に進む。
【００５８】
ステップＳ３０でリモートコントローラ１０は、ペアリング設定に移行すると、ペアリング設定要求コードおよびリモートコントローラＩＤコードをＲＯＭ１６から読み出して赤外線方式で電子機器４０に送信する。
【００５９】
ステップＳ３５で電子機器４０は、受信したリモコンＩＤコードをＲＯＭ４４に記憶して、このリモートコントローラＩＤコードを有するリモートコントローラ１０をペアリング相手として登録、制御する。
【００６０】
ステップＳ４０で電子機器４０は、リモートコントローラ１０から受信したペアリング設定要求コードに基づいて、ＲＯＭ４４から電子機器ＩＤコードを読み出し、読み出した電子機器ＩＤコードにステップＳ３０で受信したリモートコントローラＩＤコードを付加して電波方式でリモートコントローラ１０に送信する。
【００６１】
ステップＳ５０でリモートコントローラ１０は、一定時間内に電子機器ＩＤコードを受信したか否かを判断する。一定期間内に電子機器ＩＤコードを受信したときにはステップＳ６０に進み、一定期間内に電子機器ＩＤコードを受信しないときにはステップＳ７０に進む。
【００６２】
ステップＳ６０でリモートコントローラ１０は、表示部３０の画面に例えば「ペアリング完了」の文字を表示し、ペアリング設定が正常に行われた旨をユーザに告知する。また、リモートコントローラ１０は、受信した電子機器ＩＤコードをＲＯＭ１６に記憶して、この電子機器ＩＤコードを有する電子機器４０をペアリング設定として登録、制御する。
【００６３】
一方、ステップＳ７０では、リモートコントローラ１０は、表示部３０の画面に例えば「エラー」の文字を表示し、ペアリング設定が正常に行われてない旨をユーザに告知する。
【００６４】
本実施の形態によれば、ペアリング設定の最初の通信で、リモートコントローラのＩＤコードも送信するため、ペアリング設定の工程を簡略化できる。
【００６５】
なお、本発明の技術範囲は、上述した実施形態に限定されるものではなく、本発明の趣旨を逸脱しない範囲において、上述した実施形態に種々の変更を加えたものを含む。
【００６６】
上述した電子機器４０側でのペアリング設定は、本体ＣＰＵ４２が行っていたが、通信モジュールＣＰＵ８０で行っても良い。この場合には、受光部４８が受光するペアリング設定要求コードを通信モジュールＣＰＵ８０に供給する。また、通信モジュールＣＰＵ８０は、ＲＦチップ５８に内蔵させて一体としても良い。
【００６７】
ペアリング設定状態を告知する告知部の構成としては、リモートコントローラ１０の表示部３０の画面にメッセージを表示する構成に限定されることはない。例えば、リモートコントローラ１０にＬＥＤを設け、ペアリング設定が正常に行われなかったときにはこのＬＥＤを点滅させたりＬＥＤを発光させたりしてユーザにペアリング設定の状態を告知しても良い。
【００６８】
また、上述した実施の形態では、リモートコントローラ１０と電子機器４０との間でペアリング設定を行っていたが、例えば、リモートコントローラ１０と照明装置との間またはリモートコントローラ１０と空調装置との間でペアリング設定を行う場合についても適用できる。
【００６９】
さらに、上述した実施の形態のようなペアリング設定を他の電子機器に対しも繰り返して行うことで、本発明のリモートコントローラ１０で複数の電子機器を遠隔操作することも可能である。このとき、リモートコントローラ１０に複数の電子機器のそれぞれを切り替えて操作するための切り替えキーを設け、切り替えキーを選択することで複数の電子機器の何れかを選択して遠隔操作可能とすることも好ましい。
【図面の簡単な説明】
【００７０】
【図１】本発明の一実施形態に係る遠隔操作システムの構成を示す図である。
【図２】リモートコントローラの構成を示すブロック図である。
【図３】電子機器の構成を示すブロック図である。
【図４】遠隔操作システムの動作を示すフローチャートである。
【図５】本発明の他の実施形態に係る遠隔操作システムの動作を示すフローチャートである。
【符号の説明】
【００７１】
１０…リモートコントローラ、  １４…リモコンＣＰＵ、  １６…ＲＯＭ、  １８…ＲＡＭ、  ２０…操作部、  ２２…発光部、  ２４…リモコン通信部、  ２６…ＲＦアンテナ
２８…ＲＦチップ、  ３０…表示部、  ４０…電子機器、  ４２…本体ＣＰＵ、  ４４…ＲＯＭ、  ４６…ＲＡＭ、  ４８…受光部、  ５０…本体通信部、  ５２…ＲＦアンテナ
５４…ＲＦチップ、  ７４…バス、  ７６…ＥＥＰＲＯＭ、  ８０…通信モジュールＣＰＵ、  ８２…電子機器本体、  １００…遠隔操作システム
【図１】
2008263308.tif 000003
【図２】
2008263308.tif 000004
【図３】
2008263308.tif 000005
【図４】
2008263308.tif 000006
【図５】
2008263308.tif 000007
【手続補正書】
【提出日】平成20年4月14日(2008.4.14)
【手続補正１】
【補正対象書類名】特許請求の範囲
【補正対象項目名】請求項８
【補正方法】変更
【補正の内容】
【請求項８】
電波方式で遠隔操作を行うリモートコントローラとの間で双方向通信によりペアリング設定を行う電子機器であって、
前記リモートコントローラから赤外線方式で送信されるペアリング設定の開始を要求するペアリング設定要求コードおよび前記リモートコントローラの固有情報を受信する受光部と、
前記受光部により受信されたペアリング設定要求コードに対して自身の固有情報を電波方式で前記リモートコントローラに送信する通信部と、
前記受光部により受信された前記リモートコントローラの固有情報を登録して、前記リモートコントローラをペアリングの対象機器として制御する制御部と
を有することを特徴とする電子機器。
【手続補正２】
【補正対象書類名】特許請求の範囲
【補正対象項目名】請求項１０
【補正方法】変更
【補正の内容】
【請求項１０】
通信手段を介して接続されたリモートコントローラと電子機器とをペアリング設定する遠隔操作システムであって、
前記リモートコントローラは、
前記電子機器にペアリング設定の開始を要求するペアリング設定要求コードおよび自身の固有情報を赤外線方式で発光する発光部と、
前記発光部により発光された前記ペアリング設定要求コードに対して前記電子機器から電波方式で送信された前記電子機器の固有情報を受信する通信部と、
前記通信部により受信された前記電子機器の固有情報を登録して、前記電子機器をペアリングの対象機器として制御する制御部とを備え、
前記電子機器は、
前記リモートコントローラから赤外線方式で送信されるペアリング設定の開始を要求するペアリング設定要求コードおよび前記リモートコントローラの固有情報を受信する受光部と、
前記受光部により受信されたペアリング設定要求コードに対して自身の固有情報を電波方式で前記リモートコントローラに送信する通信部と、
前記受光部により受信された前記リモートコントローラの固有情報を登録して、前記リモートコントローラをペアリングの対象機器として制御する制御部と
を備えることを特徴とする遠隔操作システム。
【手続補正３】
【補正対象書類名】明細書
【補正対象項目名】００２４
【補正方法】変更
【補正の内容】
【００２４】
リモコン通信部２４は、ＲＦチップ２８とこのＲＦチップ２８に接続されたＲＦアンテナ２６とを有し、ペアリング設定を行う電子機器４０との間で電波方式により双方向通信を行う。ＲＦチップ２８はリモコンＣＰＵ１４から供給されたペアリング設定要求コードを増幅、変調処理してＲＦアンテナ２６に供給し、ＲＦアンテナ２６では供給されたペアリング設定要求コードに基づく通信信号を電波方式で電子機器４０に送信する。さらに、ＲＦアンテナ２６は電子機器４０から電波方式で送信された通信信号（例えば電子機器４０のＩＤコードやＡＣＫコード）を受信し、ＲＦチップ２８では受信した通信信号を増幅、復調処理してリモコンＣＰＵ１４に供給する。電波は、例えば９００ＭＨｚ帯、２．４ＧＨｚ帯などの周波数が用いられる。
【手続補正４】
【補正対象書類名】明細書
【補正対象項目名】００３９
【補正方法】変更
【補正の内容】
【００３９】
電子機器本体８２の本体ＣＰＵ４２は、受光部４８および通信モジュールＣＰＵ８０のそれぞれから同一のフォーマットで供給されるペアリング設定要求コードや確認コードに基づいてペアリング設定を行う。そして、確認コードに含まれるリモートコントローラＩＤコードをＲＯＭなどのメモリに記憶し、このリモートコントローラ１０をペアリングの相手として登録、制御する。
【手続補正５】
【補正対象書類名】明細書
【補正対象項目名】００５１
【補正方法】変更
【補正の内容】
【００５１】
ステップＳ１１０でリモートコントローラ１０は、一定時間内にＡＣＫコードを受信したか否かを判断する。一定期間内にＡＣＫコードを受信したときにはステップＳ１２０に進み、一定期間内にＡＣＫコードを受信しないときにはステップＳ７０に進む。
【手続補正６】
【補正対象書類名】明細書
【補正対象項目名】００５３
【補正方法】変更
【補正の内容】
【００５３】
一方、ＡＣＫコードを受信したときには、ステップＳ１２０でリモートコントローラ１０は、表示部３０の画面に例えば「ペアリング完了」の文字を表示し、ペアリング設定が正常に行われた旨をユーザに告知する。また、リモートコントローラ１０は、ステップＳ５０で受信した電子機器ＩＤコードをＲＯＭ１６に記憶して、この電子機器ＩＤコードを有する電子機器４０をペアリング相手として登録、制御する。
【手続補正７】
【補正対象書類名】明細書
【補正対象項目名】００６１
【補正方法】変更
【補正の内容】
【００６１】
ステップＳ５０でリモートコントローラ１０は、一定時間内に電子機器ＩＤコードを受信したか否かを判断する。一定期間内に電子機器ＩＤコードを受信したときにはステップＳ１２０に進み、一定期間内に電子機器ＩＤコードを受信しないときにはステップＳ７０に進む。
【手続補正８】
【補正対象書類名】明細書
【補正対象項目名】００６２
【補正方法】変更
【補正の内容】
【００６２】
ステップＳ１２０でリモートコントローラ１０は、表示部３０の画面に例えば「ペアリング完了」の文字を表示し、ペアリング設定が正常に行われた旨をユーザに告知する。また、リモートコントローラ１０は、受信した電子機器ＩＤコードをＲＯＭ１６に記憶して、この電子機器ＩＤコードを有する電子機器４０をペアリング相手として登録、制御する。
【手続補正９】
【補正対象書類名】明細書
【補正対象項目名】００６６
【補正方法】変更
【補正の内容】
【００６６】
上述した電子機器４０側でのペアリング設定は、本体ＣＰＵ４２が行っていたが、通信モジュールＣＰＵ８０で行っても良い。この場合には、受光部４８が受光するペアリング設定要求コードを通信モジュールＣＰＵ８０に供給する。また、通信モジュールＣＰＵ８０は、ＲＦチップ５４に内蔵させて一体としても良い。
【手続補正１０】
【補正対象書類名】図面
【補正対象項目名】図２
【補正方法】変更
【補正の内容】
【図２】
2008263308.tif 000008
【手続補正１１】
【補正対象書類名】図面
【補正対象項目名】図５
【補正方法】変更
【補正の内容】
【図５】
2008263308.tif 000009